(57)【要約】【課題】遊技盤を常に安定して固定するとともに、不正行為を有効に防止することが可能な遊技機を提供する。【解決手段】遊技機が設置される遊技島に固定される外枠と、前記外枠に対して開閉可能に軸支される本体枠と、前記本体枠に対して開閉可能に軸支されるフロント扉３と、遊技球が転動する遊技領域を有し、前記本体枠に装着される遊技盤１９と、前記遊技盤を前記本体枠に対して着脱自在に装着するために、前記遊技盤の取り付け及び取り外しを行う操作部を有する遊技盤装着部材２８と、前記フロント扉に設けられ、該フロント扉を閉扉した状態で前記遊技盤装着部材の操作部(第１操作部２８ａ及び第２操作部２８ｂ)の位置を固定させる固定部材４２とを備えた遊技機とする。【選択図】図７
2010022590.tif 000002
【特許請求の範囲】
【請求項１】
遊技機が設置される遊技島に固定される外枠と、
前記外枠に対して開閉可能に軸支される本体枠と、
前記本体枠に対して開閉可能に軸支されるフロント扉と、
遊技球が転動する遊技領域を有し、前記本体枠に装着される遊技盤と、
前記遊技盤を前記本体枠に対して着脱自在に装着するために、前記遊技盤の取り付け及び取り外しを行う操作部を有する遊技盤装着部材と、
前記フロント扉に設けられ、該フロント扉を閉扉した状態で前記遊技盤装着部材の操作部の位置を固定させる固定部材とを備えていることを特徴とする遊技機。
【請求項２】
前記固定部材は、前記フロント扉を閉扉した際、前記遊技盤装着部材の操作部と接触する接触部を備えており、該接触部を前記操作部と接触させることで、該操作部の位置を固定していることを特徴とする請求項１に記載の遊技機。
【発明の詳細な説明】
【技術分野】
【０００１】
本発明は、遊技機(例えば、パチンコ機)に関し、より具体的には、遊技機において遊技盤を常に安定して固定するとともに、該遊技機に対する不正行為を有効に防止するための技術に関する。
【背景技術】
【０００２】
遊技機(一例として、パチンコ機)としては、これが設置される遊技場の遊技島に固定される外枠と、外枠に対して開閉可能に軸支される本体枠と、本体枠に対して開閉可能に軸支されるフロント扉と、遊技球が転動する遊技領域を有し、前記本体枠に装着される遊技盤とを備えたものが一般的である。
【０００３】
通常、遊技場においては、遊技者の興趣やサービス品質などの向上を図るべく、定期的に遊技機の入れ替えが行われている。このような遊技機の入れ替えに際しては、新台への入れ替えではなく、コストの削減やリサイクルの観点から必要最小限の部材交換のみが行われる場合も少なくない(いわゆるパネル交換)。その際、交換対象となる部材としては、例えば、遊技盤などが挙げられる。
【０００４】
このようなパネル交換を想定し、従来から、遊技盤を本体枠に対して着脱自在に装着するための各種の遊技盤装着部材が知られている。
例えば、特許文献１には、枠体の両支持壁間に合成樹脂製のレバーの先端部を軸により回動自在に軸支し、該レバーに設けた係合部材を固定具の係合溝に係合させるとともに、その係合状態でレバーを回動させることにより固定具を引き寄せ、締付力を生じさせることで遊技盤を固定する遊技盤装着部材(遊技盤固定用締付具)の構成が一例として開示されている。この場合、枠体の両支持壁間にレバーを軸支する軸を一体に形成するとともに、レバーの先端部に設けられる軸挿通孔を軸の径より狭くした嵌込開口を有する断面Ｃ字状に形成し、前記軸にレバーの嵌込開口を突き合わせて押し込むことにより、レバーの軸挿通孔を軸に嵌め込んで該レバーを回動自在に軸支することで、前記レバーをワンタッチで組み付け可能としている。これにより、遊技盤固定用締付具の組立作業の簡略化を図っている。
【特許文献１】実開平０５−０３３７６９号公報
【発明の開示】
【発明が解決しようとする課題】
【０００５】
しかしながら、上述した特許文献１に開示された遊技機において、パネル交換を何度も繰り返し行った場合、それに伴って遊技盤固定用締付具のレバー操作も繰り返し行われることとなり、その耐久性を確保できない虞がある。また、操作が繰り返し行われることに加えて、熱による変形などが生じた場合、レバーの耐久性は急激に悪化するだけでなく、変形の程度によっては遊技盤固定用締付具が揺動し、遊技盤を安定して固定することができなくなってしまう虞がある。
さらに、かかる遊技機においては、本体枠とフロント扉との間などから不正具(例えば、ピアノ線や針金など)を差し込み、遊技盤固定用締付具のレバーを故意に操作するという不正行為が行われる虞もある。
【０００６】
本発明は、上述したような課題に鑑みてなされたものであり、遊技盤を常に安定して固定するとともに、不正行為を有効に防止することが可能な遊技機を提供することを目的とする。
【課題を解決するための手段】
【０００７】
以上のような目的を達成するために、本発明は、以下のような遊技機を提供する。
請求項１に記載の遊技機は、遊技機が設置される遊技島に固定される外枠と、前記外枠に対して開閉可能に軸支される本体枠と、前記本体枠に対して開閉可能に軸支されるフロント扉と、遊技球が転動する遊技領域を有し、前記本体枠に装着される遊技盤と、前記遊技盤を前記本体枠に対して着脱自在に装着するために、前記遊技盤の取り付け及び取り外しを行う操作部を有する遊技盤装着部材と、前記フロント扉に設けられ、該フロント扉を閉扉した状態で前記遊技盤装着部材の操作部の位置を固定させる固定部材とを備えていることを特徴としている。
【０００８】
この遊技機によれば、フロント扉を閉扉時には、遊技盤装着部材の操作部の位置を完全に固定させることができるため、フロント扉の閉扉状態では該遊技盤装着部材によって遊技盤を安定して固定することができる。また、フロント扉の閉扉状態では遊技盤装着部材の操作部の位置を完全に固定することができるため、この状態で遊技機の外部から遊技盤装着部材を故意に操作することが不可能となり、該遊技機に対する不正行為を有効に防止することができる。
【０００９】
請求項２に記載の遊技機は、請求項１に記載の遊技機において、前記フロント扉を閉扉した際、前記遊技盤装着部材の操作部と接触する接触部を前記固定部材が備えており、該接触部を前記操作部と接触させることで、該操作部の位置を固定することを特徴としている。
この遊技機によれば、フロント扉を閉扉させた際、固定部材の接触部を遊技盤装着部材の操作部と接触させて該操作部の位置を固定することで、その動作を抑止させることができる。したがって、フロント扉を閉扉させるだけで、遊技盤を安定して固定することができるとともに、該遊技機に対する不正行為を防止することができる。
【発明の効果】
【００１０】
本発明によれば、遊技機において遊技盤を常に安定して固定することができるとともに、該遊技機に対する不正行為を有効に防止することができる。
【発明を実施するための最良の形態】
【００１１】
以下、本発明の遊技機の一実施形態について、添付図面を参照して説明する。なお、本実施形態は本発明に係る遊技機の一例に過ぎず、何らこれに限定解釈されるものではなく、本発明の範囲内で設計変更可能である。なお、ここでは、本発明に係る遊技機の一例として弾球遊技機(いわゆるパチンコ機)を挙げて説明するが、遊技に必要なパネル部材のみの交換(パネル交換)が可能で、その際に給電制御を要するその他の遊技機も対象となる。
【００１２】
図１〜４には、本実施形態に係る遊技機(弾球遊技機)の全体構成が示されている。かかる弾球遊技機は、該弾球遊技機が設置される遊技場の島設備(遊技島)(図示しない)に固定される外枠１と、該外枠１に対して開閉可能に軸支され、遊技盤ベース１８(図５)に種々の遊技部材を備えて遊技領域を構成した遊技盤１９(図５)が着脱自在に装着される本体枠(内枠ともいう)２と、ガラス板４(図６)を介して遊技盤１９が視認可能となるように配設されるフロント扉３とを備えて構成されている。この場合、本体枠２は外枠１に対し、フロント扉３は本体枠２に対し、それぞれヒンジなど(図示しない)を介して開閉可能(回動可能)に軸支されている。また、遊技盤１９の背面には、表示装置(一例として、液晶表示装置(図示しない))が着脱自在に装着されている。
【００１３】
なお、本実施形態において、外枠１は、本体枠２が装着される部位の奥行方向の寸法(弾球遊技機に向かって前後方向の寸法)が、他の部位の奥行寸法よりも短寸に設定されている。一例として、図２,３には、外枠１の本体枠２装着部位のうち、その軸支側(図２の左側)の奥行寸法(同図の距離ｄ１)を反軸支側(同図の右側、距離ｄ２)の略半分の寸法(ｄ１≒ｄ２／２)とした構成が示されている。
このような構成とすることで、本体枠２(具体的には、遊技盤１９)の幅寸法(弾球遊技機に向かって左右方向の寸法)を拡大させることができ(一例として、図２の距離ｗだけ拡大可能)、結果として遊技領域の拡大や表示装置の拡大などを図ることが可能となる。これにより、遊技者の興趣や演出効果などを増大させることが可能となる。なお、外枠１の本体枠２装着部位の軸支側ではなく反軸支側、あるいは両側の奥行寸法を上述した軸支側と同様の短寸としてもよい。
【００１４】
この場合、弾球遊技機の側面部分(一例として、弾球遊技機に向かって左側面)には、外枠１と本体枠２(遊技盤１９)の境界部分の隙間や、本体枠２とフロント扉３の境界部分の隙間を覆うように閉塞部材(一例として、金属板材)２３が取り付けられている。これにより、例えば、前記隙間から不正具(例えば、ピアノ線や針金など)を差し込むことによる不正行為の防止を図っている。
【００１５】
遊技部材は、弾球遊技機において遊技に必要な全ての部材を言い、例えば図５に示すように、遊技球が転動する表側の遊技領域を区画するとともに、該表側の遊技領域に発射装置２２から打ち出される遊技球を導く発射通路を構成するガイドレール１５、表示装置の変動表示を起動させるとともに、大当たりとするか否かの抽選処理を起動させる始動入賞装置(始動入賞口ともいう(図示しない))、大当たり時に開放するアタッカと称する特別電動役物の大入賞装置(大入賞口ともいう(図示しない))、遊技球が入賞することにより遊技球の払い出しを起動させる一般入賞装置(一般入賞口ともいう(図示しない))、遊技領域での入賞を逃したアウト球を排出するアウト口(図示しない)、遊技盤ベース１８に打たれている多数の遊技釘(図示しない)、そして遊技球が転動可能なステージ及び天通路(いずれも図示しない)などの各部材が挙げられる。
【００１６】
なお、始動入賞口、大入賞口及び一般入賞口の後方(遊技盤１９の裏側)には、それぞれ始動入賞球センサ、カウントセンサ及び一般入賞球センサ(いずれも図示しない)が配設されており、各入賞口への入球が検知されている。これらのセンサは電源基板２５(図４)に接続され、該電源基板２５から電力供給(給電)されることで駆動されており、各センサによって検知された信号は、本体枠２の背面に搭載された主制御基板(図示しない)へ与えられて演算処理されている。
【００１７】
遊技盤ベース１８は、前記各遊技部材を固定でき、かつ、容易に変形しない(曲がらない)又は変質しない程度の硬度・強度等を有する材質で形成されている。また、遊技盤ベース１８は、少なくともその一部が無色透明のアクリル樹脂材、ポリカーボネート樹脂、ポリアリレート樹脂などの透明性の高い硬質の合成樹脂材(透明部材)で形成され、裏側に配設される表示装置がその透明部材を介して視認可能とする。その際、樹脂以外の材質、例えばガラスなどを採用することも本発明の範囲内であり設計変更可能である。
なお、遊技盤ベース１８を介して遊技盤１９の裏側に装着された表示装置を視認可能とする構成を採用しない場合には、遊技盤ベース１８全体が非透明部材からなるものであっても構わない。
【００１８】
フロント扉３の前面下部には、図１に示すように該フロント扉３と一体を成す皿ユニット２０が設けられており、この皿ユニット２０には、払出装置３０(図４)から払い出された遊技球が遊技球受入口５ａから供給されるとともに、発射装置２２(図５)へと遊技球を供給するための遊技球供給皿(上皿)５と、遊技球供給皿５の満杯時に遊技球受入口５ａの内方で溢れ出た球(溢出球)を排出する下皿排出口６ａを有する下皿６が備えられている。
また、この下皿６には、発射ハンドル(図示しない)の操作によって発射装置２２より発射されたが、遊技領域に到達しない遊技球(ファール球)と、上皿５に備えられた球抜取装置(図示しない)を操作することによって、上皿５から抜き取られた遊技球(抜取球)が、下皿排出口６ａを介して排出される。
【００１９】
ここで、例えば、皿ユニット２０に設けられた球貸し操作パネルの球貸しボタン(図示しない)を操作すると、弾球遊技機に内蔵された払出制御基板２６(図４)と該弾球遊技機に併設されたカードユニット(図示しない)との間で球貸し処理に関する信号が交信される。このとき、交信された信号に基づいて、払出制御基板２６が払出装置３０(同図)を駆動制御することにより、本体枠２の上部に取り付けられた球タンク３２(同図)からレールユニット３４(同図)を流下した複数の遊技球のうち、所定数の遊技球が払出装置３０によって１個ずつ払い出され、球払出通路３６(同図)を流下して上皿５に供給される。
【００２０】
上皿５に遊技球が供給された状態において、発射ハンドル(図示しない)を時計回り方向に回動させると、その回動量に応じて、払出制御基板２６が発射装置２２の発射ソレノイド(図示しない)を駆動制御することにより、遊技球がガイドレール１５に沿って遊技領域に打ち出される。このとき、遊技領域に打ち出された遊技球が入賞すると、主制御基板(図示しない)から払出制御基板２６に送信されたコマンドに基づいて、該払出制御基板２６が払出装置３０(図４)を駆動制御する。そして、本体枠２上部に取り付けられた球タンク３２(同図)からレールユニット３４(同図)を流下した複数の遊技球のうち、所定数の遊技球が払出装置３０によって１個ずつ払い出され、球払出通路３６(同図)を流下して遊技球受入口５ａから上皿５に供給される。
【００２１】
なお、遊技盤１９には、遊技領域へ打ち出された遊技球が発射通路に戻ることを防止するために、戻り球防止片(一例として、板バネ(図示しない))がガイドレール１５の延出端部に設けられている。前記戻り球防止片は、遊技球が遊技領域へ打ち出される際、該遊技球が接触することにより可動される構造(一例として、振幅構造)を成している。さらに、本実施形態においては、遊技球の遊技領域への打ち出し時における前記戻り球防止片の動きと連動してカウントアップされる球カウンタ(一例として、カウンタスイッチ(図示しない))が遊技盤１９に設けられている。この場合、例えば、前記戻り球防止片の動きと連動して回動する軸を遊技盤１９の裏側に突出させ、該軸が所定方向へ回動するごとに球カウンタのスイッチを押し込み、カウントアップさせる構造などとすればよい。なお、球カウンタは、樹脂などにより表面コーティングを施し、保護しておくことが好ましい。
このように球カウンタを配設することで、該球カウンタでカウントされた球数が、遊技領域へ打ち出された遊技球の球数と一致するため、発射装置２２より発射され、実際に遊技領域へ打ち出された遊技球を正確かつ容易にカウントすることが可能となる。
【００２２】
また、発射装置２２は、発射制御基板、発射ソレノイドや槌先などからなる遊技球発射機構を備え、本体枠２の前面(フロント扉３を開扉させた際に露出される面)下部に設けられている。
前記遊技球発射機構は、遊技球を遊技領域へ向けて発射させるための機構であり、発射ハンドルの操作により発射ソレノイドが駆動され、該発射ソレノイドの駆動により槌先が作動し、球送り装置から発射レールへ供給された遊技球を叩打することで、該遊技球を遊技領域へ向けて発射させる。その際、かかる遊技球を発射させるまでの一連の制御は、発射制御基板による信号処理によって実行されている。
【００２３】
本実施形態において、弾球遊技機には、遊技盤１９を本体枠２に対して着脱自在に装着するための遊技盤装着部材が備えられている。かかる遊技盤装着部材によって遊技盤１９を本体枠２に対して装着させることで、該遊技盤１９を該本体枠２に対して一旦取り付けた後であっても、これを自由に取り外すことができ、遊技盤交換(以下、パネル交換という)によるスムーズな弾球遊技機の入れ替えの実施を可能としている。
この場合、遊技盤装着部材は、遊技盤１９を本体枠２に対して着脱自在に装着することが可能であれば、その構造は特に限定されず任意の構造とすることができるが、本実施形態においては、図７〜１０に示すような挟持構造により遊技盤１９を挟み込んで保持する遊技盤装着部材２８を一例として想定し、以下、その構成について説明する。
【００２４】
遊技盤装着部材２８は、本体枠２に対する遊技盤１９の取り付け及び取り外しを行うための２つの操作部28a,28bと、該操作部28a,28bの操作と連動して可動する可動部２８ｃと、遊技盤装着部材２８を本体枠２の裏側に固定されたベース部材２７に取り付けけるための取付部２８ｄを有し、これらが４つの軸js1,js2,js3,js4と一対の連結板ｊｐによって相互に連結されて組み付けられた構造体を成しており、操作部２８ａと可動部２８ｃとの間で遊技盤１９を着脱自在に挟持する。
なお、操作部２８ａと可動部２８ｃとの間の距離(間隔)、具体的には後述する操作部２８ａの底部ａ２と可動部２８ｃの底部ｃ２との最小対向間隔は、遊技盤装着部材２８によって遊技盤１９を安定して挟持するため、該遊技盤１９が挟持される部位の厚さ寸法(奥行寸法)よりも僅かに小寸となるように設定する必要がある。
【００２５】
２つの操作部28a,28bは、パネル交換時において、本体枠２に装着されている遊技盤１９を取り外す際に操作される第１の操作部(以下、第１操作部２８ａという)と、交換した遊技盤１９を取り付ける際に操作される第２の操作部(以下、第２操作部２８ｂという)により構成されている。
第１操作部２８ａは、軸ｊｓ１の一端が挿通される貫通孔ａｈを有し、該貫通孔ａｈが対向するように位置付けられた一対の壁部ａ１と、該壁部ａ１の間に渡され、これらと相互に連続する底部ａ２と、該底部ａ２から延設され、その延出端につまみａｔが設けられた天部ａ３とを備え、これら各部位(壁部ａ１、底部ａ２、天部ａ３及びつまみａｔ)が薄肉の板材(一例として、金属材)で成形されている。
【００２６】
かかる第１操作部２８ａは、貫通孔ａｈに挿通された軸ｊｓ１を介して第２操作部２８ｂ及び可動部２８ｃと壁部ａ１でそれぞれ連結され、底部ａ２と可動部２８ｃとの間で遊技盤１９を挟み込んで保持する構造を成すとともに、遊技盤１９を挟持した状態で第１操作部２８ａに対して所定の操作が加えられる(一例として、つまみａｔを把持して弾球遊技機に向かって手前側に引き倒す)ことで、可動部２８ｃとの間で作用させていた遊技盤１９への挟持力(押圧力)を解除し、遊技盤１９を本体枠２から取り外すことを可能としている。なお、第１操作部２８ａは、その壁部ａ１を軸ｊｓ１方向に対して最も外側とし、可動部２８ｃ、第２操作部２８ｂの順番で内側となるように、該軸ｊｓ１を介してこれらと連結されている。
【００２７】
一方、第２操作部２８ｂは、軸js1,js2の一端が挿通される貫通孔(符号は付さない)を有し、該貫通孔が対向するように位置付けられた一対の壁部ｂ１と、該壁部ｂ１の間に渡されて相互に連続し、つまみｂｔが設けられた底部ｂ２とを備え、これら各部位(壁部ｂ１、底部ｂ２及びつまみｂｔ)が第１操作部２８ａと同様の薄肉の板材(一例として、金属材)で成形されている。
【００２８】
かかる第２操作部２８ｂは、貫通孔に挿通された軸ｊｓ１を介して第１操作部２８ａ及び可動部２８ｃと壁部ｂ１でそれぞれ連結されるとともに、貫通孔に挿通された軸ｊｓ２及び一対の連結板ｊｐ、並びに軸ｊｓ３を介して取付部２８ｄと壁部ｂ１で連結され、第１操作部２８ａの底部ａ２と可動部２８ｃとの間で遊技盤１９を挟持した状態で、所定の操作が加えられる(一例として、つまみｂｔを把持して弾球遊技機に向かって奥側へ押し倒す)ことで、第１操作部２８ａと可動部２８ｃとの間で遊技盤１９への挟持力(押圧力)を作用させ、遊技盤１９を本体枠２へ取り付けることを可能としている。
なお、一対の連結板ｊｐは、第２操作部２８ｂ(具体的には、壁部ｂ１)及び取付部２８ｄ(具体的には、後述する壁部ｄ１)がいずれも内側となるように、位置付けられている。
【００２９】
この場合、壁部ｂ１は、遊技盤１９が取り付けられた状態(第１操作部２８ａと可動部２８ｃとの間で遊技盤１９への挟持力(押圧力)が作用されている状態)において、後述する取付部２８ｄの壁部ｄ１と係合可能な形状を成している。一例として、図８〜１１には、第２操作部２８ｂの壁部ｂ１を凸状に形成するとともに、取付部２８ｄの壁部ｄ１を該壁部ｂ１の輪郭形状に沿った凹状に形成し、これらの壁部b1,d1を係合可能とした構成を示している。これら壁部b1,d1が係合することで、第２操作部２８ｂの位置が連結板ｊｐを介して取付部２８ｄに対して固定されるとともに、位置決めされた第２操作部２８ｂ及び取付部２８ｄに対する第１操作部２８ａ及び可動部２８ｃの位置が固定される。この結果、遊技盤装着部材２８により遊技盤１９が本体枠２に対して取り付けられた状態となる。
【００３０】
また、可動部２８ｃは、軸js1,js4の一端が挿通される貫通孔(符号は付さない)を有し、該貫通孔が対向するように位置付けられた一対の壁部ｃ１と、該壁部ｃ１の間に渡され、これらと相互に連続する底部ｃ２とを備え、これら各部位(壁部ｃ１及び底部ｃ２)が第１操作部２８ａ及び第２操作部２８ｂと同様の薄肉の板材(一例として、金属材)で成形されている。
【００３１】
かかる可動部２８ｃは、貫通孔に挿通された軸ｊｓ１を介して第１操作部２８ａ及び第２操作部２８ｂと壁部ｃ１でそれぞれ連結されるとともに、貫通孔に挿通された軸ｊｓ４を介して取付部２８ｄと壁部ｃ１で連結され、底部ｃ２と第１操作部２８ａの底部ａ２との間で遊技盤１９に対して挟持力(押圧力)を作用させることで、遊技盤１９を本体枠２へ取り付けることを可能としているとともに、該挟持力(押圧力)を解除させることで、遊技盤１９を本体枠２から取り外すことを可能としている。なお、可動部２８ｃは、その壁部ｃ１が軸ｊｓ４方向に対して外側となるように、該軸ｊｓ４を介して取付部２８ｄと連結されている。
【００３２】
そして、取付部２８ｄは、軸js3,js4の両端が挿通される貫通孔(符号は付さない)を有し、該貫通孔が対向するように位置付けられた一対の壁部ｄ１と、該壁部ｄ１の間に渡されてこれらと相互に連続し、ベース部材２７と当接して固定部位となる底部ｄ２とを備え、これら各部位(壁部ｄ１及び底部ｄ２)が第１操作部２８ａ、第２操作部２８ｂ及び可動部２８ｃと同様の薄肉の板材(一例として、金属材)で成形されている。
かかる取付部２８ｄは、貫通孔に挿通された軸ｊｓ４を介して可動部２８ｃと壁部ｄ１で連結されているとともに、貫通孔に挿通された軸ｊｓ３及び一対の連結板ｊｐ、並びに軸ｊｓ２を介して第２操作部２８ｂと壁部ｄ１で連結されている。
【００３３】
遊技盤装着部材２８は、取付部２８ｄの底部ｄ２がベース部材２７へ取り付けられ、位置決め固定された状態で、第１操作部２８ａあるいは第２操作部２８ｂに対して操作が加えられることで、可動部２８ｃがこれらの操作部28a,28bに対して可動し、遊技盤１９を本体枠２へ着脱自在に装着させることができる。なお、取付部２８ｄ(具体的には、底部ｄ２)のベース部材２７への取り付けは、例えば、溶接や各種接着剤による接着等の接合、各種締結部材(ボルト、ナットあるいはビス等)による締結など任意の方法で行えばよく、その取付方法は特に限定されない。
【００３４】
このような構成の遊技盤装着部材２８による遊技盤１９の取り外し方法、及び取り付け方法について、以下、説明する。
本実施形態においては、図５に示すように遊技盤装着部材２８が本体枠２の前面側の右下部に位置付けられている。このため、遊技盤１９は、その右下部を遊技盤装着部材２８によって挟持された状態で、本体枠２に対して装着されている。
なお、遊技盤装着部材２８の配設位置、及び配設数は特に限定されず、図示構成以外にも例えば、遊技盤装着部材２８を本体枠２の前面側の左下部や中央下部、あるいは上部に１つだけ配設させてもよいし、これらの複数個所にそれぞれ遊技盤装着部材２８を配設させてもよい。
【００３５】
パネル交換に当たって、かかる遊技盤１９を本体枠２、具体的には遊技盤装着部材２８から取り外す際には、まず、第１操作部２８ａのつまみａｔを把持し、弾球遊技機(本体枠２)に向かって手前側(以下、単に手前側という)に引き倒す。これにより、第１操作部２８ａは、図９,１０に示すように軸ｊｓ１周りに手前側へ回動する。その際、可動部２８ｃに対しては、第１操作部２８ａの回動方向と同一方向へ軸ｊｓ１を介して回動力が作用し、図９,１０に示すように可動部２８ｃが該軸ｊｓ１周りに手前側へ回動する。
【００３６】
可動部２８ｃが回動すると、壁部ｃ１が連結板ｊｐと当接してこれを押圧し、軸ｊｓ２を介してその押圧力を第２操作部２８ｂに作用させる。かかる押圧力は、第２操作部２８ｂに対し、第１操作部２８ａの回動方向とは反対方向への軸ｊｓ１周りの回動力として作用し、該回動力が作用された第２操作部２８ｂは、軸ｊｓ１周りに手前側(第１操作部２８ａの回動方向とは反対方向)へ回動する。すなわち、第１操作部２８ａと第２操作部２８ｂは、軸ｊｓ１周りに互いが近接する方向へそれぞれ回動する(図９,１０参照)。
【００３７】
第２操作部２８ｂが回動することにより、該第２操作部２８ｂの壁部ｂ１(一例として、凸部)が取付部２８ｄの壁部ｄ１(同、凹部)に沿ってスライドし、これら壁部b1,d1の係合状態が解除される(図９,１０参照)。同時に、軸ｊｓ２を介して第２操作部２８ｂの壁部ｂ１と連結された連結板ｊｐが該軸ｊｓ２周りに手前側(可動部２８ｃの回動方向とは反対方向)へ回動するため、該連結板ｊｐと可動部２８ｃとの当接状態も解除される(図９,１０参照)。
【００３８】
この結果、第１操作部２８ａと可動部２８ｃとが相互にフリーな状態(個別に回動可能な状態)となり、これらの底部a2,c2の間で遊技盤１９に対して作用させていた挟持力(押圧力)が解除される。
したがって、第１操作部２８ａの底部ａ２と可動部２８ｃの底部ｃ２との間で挟持されていた遊技盤１９を遊技盤装着部材２８、すなわち本体枠２から取り外すことが可能となる。
【００３９】
一方、パネル交換に当たって、交換する遊技盤１９を本体枠２、具体的には遊技盤装着部材２８へ取り付ける際には、まず、かかる遊技盤１９の右下部を第１操作部２８ａの底部ａ２と可動部２８ｃの底部ｃ２との間に挿し込み、該遊技盤１９の本体枠２に対する位置を粗決めする。この状態で、第２操作部２８ｂのつまみｂｔを把持し、弾球遊技機(本体枠２)に向かって奥側(以下、単に奥側という)に押し倒す。なお、その際、第２操作部２８ｂは、上述したように軸ｊｓ１周りに手前側(第１操作部２８ａの回動方向とは反対方向)へ回動した状態となっている(図９,１０参照)。
【００４０】
これにより、第２操作部２８ｂは、軸ｊｓ１周りに奥側へ回動する。その際、連結板ｊｐが次第に可動部２８ｃの壁部ｃ１と当接し、該当接する壁部ｃ１を押圧することで、軸ｊｓ２を介して押圧力を可動部２８ｃに作用させる。かかる押圧力は、可動部２８ｃに対し、第２操作部２８ｂの回動方向とは反対方向への軸ｊｓ１周りの回動力として作用し、該回動力が作用された可動部２８ｃは、軸ｊｓ１周りに奥側(第２操作部２８ｂの回動方向とは反対方向)へ回動する。
【００４１】
また、可動部２８ｃが回動すると、第１操作部２８ａに対しては、可動部２８ｃの回動方向と同一方向へ軸ｊｓ１を介して回動力が作用し、第１操作部２８ａが該軸ｊｓ１周りに奥側(第２操作部２８ｂの回動方向とは反対方向)へ回動する。すなわち、第１操作部２８ａは、軸ｊｓ１周りに可動部２８ｃと接近する方向へ回動され、該第１操作部２８ａの底部ａ２と可動部２８ｃの底部ｃ２との対向間隔が狭められる。
【００４２】
そして、第２操作部２８ｂが軸ｊｓ１周りに奥側へ回動することで、該第２操作部２８ｂの壁部ｂ１(一例として、凸部)が取付部２８ｄの壁部ｄ１(同、凹部)に沿ってスライドし、これら壁部b1,d1が相互に係合される。
【００４３】
この結果、第１操作部２８ａの底部ａ２と可動部２８ｃの底部ｃ２とが相互に対向間隔を狭めつつ、該第１操作部２８ａと可動部２８ｃとが相互にその位置を固定された状態(個別に回動不能な状態)となり、これらの底部a2,c2の間で遊技盤１９に対して挟持力(押圧力)が作用される。
したがって、第１操作部２８ａの底部ａ２と可動部２８ｃの底部ｃ２との間で遊技盤１９を遊技盤装着部材２８で挟持すること、すなわち本体枠２に対して取り付けることが可能となる。
【００４４】
なお、本実施形態において弾球遊技機には、遊技盤装着部材２８によって取り付けられた遊技盤１９を本体枠２へ位置決め固定させるための係止機構２９(図５)が備えられている。かかる係止機構２９は、所定の係止部を有する係止体を本体枠２に設けた被係止部に係止させることで、該係止体を介して遊技盤１９を本体枠２に対して固定する構造となっている。
係止部と被係止部の係止構造は特に限定されないが、例えば、係止体を凸状の突起部を有する鍵状部材(ストッパ)として遊技盤１９に設けるとともに、被係止部を前記突起部を係止させることが可能な凹状の穴(係止穴)として本体枠２に形成すればよい。この場合、前記ストッパを所定方向(例えば、時計回り)へ所定角度(例えば、９０度)だけ回動させることで、該ストッパの突起部が本体枠２の係止穴に嵌まり込んで係止される構造などを、一例として想定できる。その際には、ストッパを挿通させるとともに、回動させることが可能な貫通孔(ストッパ挿通孔)を遊技盤１９に形成し、該ストッパ挿通孔に挿通されたストッパを前記のように回動させることで、該ストッパの突起部を係止穴に係止させればよい。
このように係止機構２９を設けることで、遊技盤１９を遊技盤装着部材２８によって本体枠２へ取り付けた後、前記ストッパをストッパ挿通孔へ挿通して回動させるだけで、該遊技盤１９を本体枠２へ容易に位置決め固定させることができる。
【００４５】
一方、遊技盤１９を本体枠２から取り外す際には、遊技盤装着部材２８への操作に先立ち、ストッパを上述した係止時とは逆方向(例えば、反時計回り)へ所定角度(例えば、９０度)だけ回動させ、突起部と係止穴との係止を解除させればよい。
ここで、図５には、係止機構２９を本体枠２の前面側の右上部に１つだけ配設させた構成を示しているが、係止機構２９の配設位置、及び配設数はこれに限定されず、例えば、本体枠２の前面側の左上部や中央上部、あるいは下部に１つだけ配設させてもよいし、これらの複数個所にそれぞれ係止機構２９を配設してもよい。
【００４６】
また、本実施形態において弾球遊技機には、フロント扉３を閉扉した状態で遊技盤装着部材２８の操作部(具体的には、第１操作部２８ａ)の位置を固定させる固定部材がフロント扉３に設けられている。
かかる固定部材の形態(大きさや形状など)は、フロント扉３を閉扉した状態で遊技盤装着部材２８の第１操作部２８ａの位置を固定させることが可能であれば特に限定されず、遊技盤装着部材２８の大きさや形状などに応じて任意の構成とすればよい。
【００４７】
図１１〜１３には、固定部材４２の構成の一例が示されている。この場合、固定部材４２は、フロント扉３を閉扉した際、遊技盤装着部材２８の第１操作部２８ａ(より具体的には、図７に示すように一対の壁部ａ１)と接触する接触部４２ａと、固定部材４２をフロント扉３の裏面(本体枠２の前面と対向する面)３ｓに取り付けるための取付部４２ｂを備えた静止構造体であり、フロント扉３の裏面３ｓの左下部、すなわちフロント扉３の閉扉時に遊技盤装着部材２８が配設された本体枠２の前面側の右下部と対向可能な部位に配設されている。
【００４８】
図１１〜１３に示す構成において、接触部４２ａは、フロント扉３を閉扉した際に遊技盤装着部材２８の第１操作部２８ａ(具体的には、壁部ａ１)と接触する平面部ａｐが、該平面部ａｐと連続する一対の支持部ａｓによってフロント扉３の裏面３ｓに沿って略平行を成して、該裏面３ｓから所定の高さで突出した構造を成している。その際、平面部ａｐの裏面３ｓからの突出高さ(すなわち、支持部ａｓの裏面３ｓからの突出高さ)は、該平面部ａｐがフロント扉３を閉扉した際、遊技盤装着部材２８の第１操作部２８ａを過度に押圧することなく、これと接触可能となるように、第１操作部２８ａの大きさや形状などに応じて設定すればよい。
【００４９】
ここで、本実施形態においては一例として、フロント扉３の閉扉時において、図７に示すように固定部材４２ａの接触部４２ａ(具体的には、平面部ａｐ)を第１操作部２８ａの壁部ａ１と接触させる構成を想定しているが、該壁部ａ１に代えて、あるいはこれに加えてつまみａｔを接触部４２ａと接触させる構成としてもよい。
【００５０】
また、取付部４２ｂは、接触部４２ａの支持部ａｓと連続し、フロント扉３の裏面３ｓに沿って略平行を成す平面部ｂｐと、該平面部ｂｐと裏面３ｓとの間に介在して固定部材４２を該裏面３ｓに対して固定する脚部ｂｓで構成されている。この場合、例えば、平面部ｂｐに貫通孔ｂｈを穿孔するとともに、脚部ｂｓをフロント扉３の裏面３ｓに突設させ、その突出端に貫通孔ｂｈと嵌合可能な凸状突起ｂｄを設けた構成とすればよい。これにより、平面部ｂｐの貫通孔ｂｈに脚部ｂｓの凸状突起ｂｄを押し込み、これらを嵌合させることで、取付部４２ｂを介してフロント扉３に固定部材４２を容易に取り付けることができる。
【００５１】
なお、固定部材４２のフロント扉３への取付方法は特に限定されないため、上述した方法のほか、例えば、脚部ｂｓを平面部ｂｐから裏面３ｓへ向けて突設し、各種の接着剤などにより該脚部ｂｓを裏面３ｓに対して接合させることで、フロント扉３に固定部材４２を取り付けることも可能である。あるいは、平面部ｂｐや脚部ｂｓを各種締結部材(ボルト、ナットあるいはビス等)で締結することなどによって、固定部材４２を取り付けてもよい。さらに、取付部４２ｂを脚部ｂｓが省略された構成とし、該取付部４２ｂを接合や締結などにより直接フロント扉３に取り付けてもよい。
【００５２】
また、接触部４２ａと取付部４２ｂは、該接触部４２ａの平面部ａｐに対して該取付部４２ｂの平面部ｂｐが凹んだ状態となるように、連結部４２ｃによって連結されており、該連結部４２ｃを設けることで、固定部材４２を簡易な構成としながら、その強度アップが図られている。その際、固定部材４２は、接触部４２ａ、取付部４２ｂ及び連結部４２ｃを金属や樹脂などにより薄板状に一体成形してもよいし、それぞれ個別に別体成形した後、相互に組み付けてもよい。
なお、本実施形態においては、一例として図１１〜１３に示すように、固定部材４２を金属や樹脂などが薄板状に組み付けられた中空構造体としているが、このような中空構造体ではなく、例えば金属や樹脂などによる中実の肉盛構造体などとしてもよい。
【００５３】
固定部材４２を以上のような構成とすることで、フロント扉３を閉扉した際、接触部４２ａの平面部ａｐを遊技盤装着部材２８の第１操作部２８ａ(具体的には、壁部ａ１)と接触させることができ、該第１操作部２８ａを過度に押圧することなく、その位置を完全に固定することができる。このように第１操作部２８ａの位置が完全に固定されることで、該遊技盤装着部材２８の取付部２８ｄ(すなわち、本体枠２)に対して第１操作部２８ａ、並びに第２操作部２８ｂと可動部２８ｃが確実に位置決め固定され、該第１操作部２８ａと可動部２８ｃの間、具体的にはこれらの底部a2,c2の間で挟持された遊技盤１９を常に安定して固定することができる。
【００５４】
また、フロント扉３が閉扉された状態においては、遊技盤装着部材２８の第１操作部２８ａ(具体的には、壁部ａ１)が固定部材４２の接触部４２ａ(具体的には、平面部ａｐ)と接触し、その動作が抑止された状態となる。したがって、この状態においては、遊技盤１９を遊技盤装着部材２８から取り外すべく、第１操作部２８ａを手前側に引き倒すことが不可能となる。すなわち、この状態で弾球遊技機の外部から不正具(例えば、ピアノ線や針金など)を差し込み、遊技盤装着部材２８を故意に操作することは不可能となり、該弾球遊技機に対する不正行為(例えば、遊技盤１９を故意に位置ずれさせることにより行われる不正行為など)を有効に防止することができる。
【００５５】
このように、本実施形態に係る弾球遊技機によれば、フロント扉３を閉扉させるだけで、遊技盤１９を常に安定して固定することができるとともに、該弾球遊技機に対する不正行為を有効に防止することができる。
【００５６】
なお、本実施形態においては、図７に示すようにフロント扉３が閉扉された状態において、接触部４２ａの平面部ａｐを遊技盤装着部材２８の第１操作部２８ａ(具体的には、壁部ａ１)だけでなく、第２操作部２８ｂ(具体的には、底部ｂ２)とも同時に接触させることが可能となるように、遊技盤装着部材２８及び固定部材４２が構成されている。すなわち、フロント扉３の閉扉時に接触部４２ａの平面部ａｐが遊技盤装着部材２８の第１操作部２８ａ及び第２操作部２８ｂのいずれにも接触可能となるように、第１操作部２８ａ(具体的には、壁部ａ１)及び第２操作部２８ｂ(具体的には、底部ｂ２)の本体枠２からの突出高さを略同一寸法に設定して遊技盤装着部材２８が構成されているとともに、接触部４２ａの平面部ａｐの大きさ(面積)を第１操作部２８ａの壁部ａ１だけでなく、第２操作部２８ｂの底部ｂ２にも接触可能な領域まで及ぶように設定して固定部材４２が構成されている。
その際、第２操作部２８ｂの底部ｂ２に代えて、あるいはこれに加えてつまみｂｔを接触部４２ａの平面部ａｐと接触させる構成としてもよい。
【００５７】
このように、接触部４２ａの平面部ａｐを遊技盤装着部材２８の第１操作部２８ａ(具体的には、壁部ａ１)だけでなく、第２操作部２８ｂ(具体的には、底部ｂ２)とも同時に接触させることで、固定部材４２により該第２操作部２８ｂを過度に押圧することなく、その位置を完全に固定することができ、その動作を抑止させることができる。したがって、遊技盤装着部材２８の第１操作部２８ａ、並びに第２操作部２８ｂと可動部２８ｃをより確実に位置決め固定することができ、結果として、遊技盤１９を一層安定して固定することを可能としている。
【００５８】
ここで、上述したように、遊技盤装着部材２８の配設位置は特に限定されないため、該遊技盤装着部材２８の配設位置に応じて、その第１操作部２８ａ(具体的には、壁部ａ１)、及び第２操作部(具体的には、底部ｂ２)と接触部４２ａ(具体的には、平面部ａｐ)がフロント扉３の閉扉時に接触可能となるように、固定部材４２を位置付ければよい。また、遊技盤装着部材２８の配設数も特に限定されないため、例えば、複数の遊技盤装着部材２８を配設した場合、フロント扉３の閉扉時において、これらのすべての第１操作部２８ａ及び第２操作部２８ｂと接触可能となるように、複数(遊技盤装着部材２８と同数)の固定部材４２を配設すればよい。
【００５９】
これにより、フロント扉３を閉扉させるだけで、すべての遊技盤装着部材２８の第１操作部２８ａの位置、並びに第２操作部２８ｂの位置を完全に固定することができ、遊技盤１９をより一層安定して固定することが可能となるとともに、該弾球遊技機に対する不正行為をさらに確実に防止することが可能となる。
【００６０】
なお、固定部材４２を接触部４２ａ、取付部４２ｂ及び連結部４２ｃに加えて、フロント扉３を閉扉した際、遊技盤装着部材２８(例えば、第１装着部２８ａ及び第２装着部２８ｂ)を収容して、該遊技盤装着部材２８を外部から閉塞可能に覆うための被覆部(図示しない)を備えた構成としてもよい。これにより、フロント扉３の閉扉時においては、遊技盤装着部材２８(例えば、第１装着部２８ａ及び第２装着部２８ｂ)が固定部材４２の被覆部によって外部から完全に閉塞された状態となるため、弾球遊技機の外部から不正具(例えば、ピアノ線や針金など)を差し込み、遊技盤装着部材２８を故意に操作して行われる不正行為(例えば、遊技盤１９を故意に位置ずれさせることにより行われる不正行為など)を完全に防止することが可能となる。
【図面の簡単な説明】
【００６１】
【図１】本発明の一実施形態に係る遊技機(弾球遊技機)の正面側の全体構成を示す平面図。
【図２】本発明の一実施形態に係る遊技機(弾球遊技機)の上面側の全体構成を示す平面図。
【図３】本発明の一実施形態に係る遊技機(弾球遊技機)の上面側の全体構成を示す斜視図。
【図４】本発明の一実施形態に係る遊技機(弾球遊技機)の背面側の全体構成を示す平面図。
【図５】本体枠の前面側の構成を示す平面図。
【図６】フロント扉の裏面側の構成を示す平面図。
【図７】遊技盤装着部材及び固定部材の構成を側面側から示す概略機構図。
【図８】遊技盤装着部材の構成を示す斜視図。
【図９】遊技盤に対する挟持力が解除された遊技盤装着部材の状態を説明するための斜視図。
【図１０】遊技盤に対する挟持力が解除された遊技盤装着部材の状態を側面側から示す平面図。
【図１１】固定部材の構成を説明するためにフロント扉の裏面側の構成を一部拡大して示す平面図。
【図１２】固定部材の構成を説明するためにフロント扉の裏面側の構成を開放側(反軸支側)から一部拡大して示す斜視図。
【図１３】固定部材の構成を説明するためにフロント扉の裏面側の構成を軸支側から一部拡大して示す斜視図。
【符号の説明】
【００６２】
３  フロント扉
１９  遊技盤
２８  遊技盤装着部材
２８ａ  第１操作部
２８ｂ  第２操作部
４２  固定部材
【図１】
2010022590.tif 000003
【図２】
2010022590.tif 000004
【図３】
2010022590.tif 000005
【図４】
2010022590.tif 000006
【図５】
2010022590.tif 000007
【図６】
2010022590.tif 000008
【図７】
2010022590.tif 000009
【図８】
2010022590.tif 000010
【図９】
2010022590.tif 000011
【図１０】
2010022590.tif 000012
【図１１】
2010022590.tif 000013
【図１２】
2010022590.tif 000014
【図１３】
2010022590.tif 000015